(57)【要約】【課題】紙容器に設ける機械読取情報と文字列情報との情報を陳列時形態では外部から見えないようにした秘匿情報とし、商品の正規の購入者は簡単な操作で確認できるようにし、秘匿情報の提供に適した紙容器を得る。【解決手段】スリーブ２に容器本体３を収納して容器本体３の開放上面がスリーブ２で覆われている紙容器形態を陳列時形態とし、この陳列時形態でのスリーブ構成板における外方に対して非表出である目視不能な位置に、二次元コードなどの機械読取情報１９と文字列情報２０とからなる秘匿情報１８を設けた。【選択図】図５
2009143577.tif 000002
【特許請求の範囲】
【請求項１】
上方が開放されている略トレイ状の容器本体がスリーブにスライド可能に収納されている紙容器において、
スリーブに容器本体を収納して容器本体の開放上面がスリーブで覆われている紙容器形態を陳列時形態とし、この陳列時形態での前記スリーブ構成板における外方に対して非表出である目視不能な位置に、秘匿情報が設けられていることを特徴とする紙容器。
【請求項２】
上記秘匿情報はスリーブの端部開口側に設けられている請求項１に記載の紙容器。
【請求項３】
上記スリーブ構成板の容器内方側となる内面それぞれはスリーブに収納された上記容器本体が相対して上記目視不能な位置とされていて、スリーブ構成板の前記内面に上記秘匿情報を設けてなる情報隠蔽部が、該スリーブ構成板から舌片状に切り開き可能に設けられている請求項１に記載の紙容器。
【請求項４】
上記情報隠蔽部はスリーブの端部開口側に設けられている請求項３に記載の紙容器。
【請求項５】
上記秘匿情報は、二次元コードなどの機械読取情報と文字列情報とからなるものである請求項１から４の何れか一項に記載の紙容器。
【請求項６】
上記秘匿情報の機械読取情報と文字列情報とは、箱本体個々に異なるユニーク値を共に含んでいる請求項５に記載の紙容器。
【発明の詳細な説明】
【技術分野】
【０００１】
本発明は菓子類などを収容し、コンビニエンスストアやスーパーマーケットなどの小売り店舗で陳列販売される紙容器に関するものである。
【背景技術】
【０００２】
従来から菓子、特に個包装されたチョコレート菓子を複数収容した容器としては、平板状のスリーブに上方を開放したトレイ状の容器本体をスライド可能に収納した紙容器が多く流通していて、スーパーマーケットやコンビニエンスストアなどでの小売り店舗においてこの紙容器を透明な包装フィルムで包んだ商品としで陳列販売されている。
そして、このような商品においても販売促進などを目的として懸賞を伴なう各種のキャンペーンが企画される場合があり、商品購入者がキャンペーンへの申し込みを行なう上での情報を商品に設けたり、申し込み資格を獲得するための当たり外れのあるクジの仕組みをその商品に設けることが行なわれていた。
このキャンペーン申し込み情報やクジを有するようにした商品にあっては、この商品自体が小売り店舗で陳列され、店舗側の顧客が手軽に商品を取り扱えることから、申し込み情報やクジが、商品購入者ではない顧客には見ることができないようにする必要があり、例えば特許文献１に示されているように、収納物の包装フィルムの内面に申し込み情報やクジなどの表示を行なうようにして、陳列時形態のままではその表示を目視できないようにした工夫が提案されていた。
【０００３】
一方、携帯電話のカメラ撮影で獲得した情報に基づいてその携帯電話からインターネント上のサイトに接続し、そのサイトで掲載されている各種の情報を入手したり、サイトでのゲームに参加できるようにしたサービスが提供されるようになってきている。
そして、携帯電話のカメラを用いた情報の取得や携帯電話によるインターネット上のサイトへの接続も手数を要せずに行なえることから、上述した商品に係るキャンペーンの申し込み情報やクジ情報などを携帯電話を用いても取得できる表示にしてその商品に設けることが試みられるようになってきた。
【特許文献１】実開昭６１−０９７１６２号公報
【発明の開示】
【発明が解決しようとする課題】
【０００４】
上述した携帯電話のカメラを用いて情報を獲得する場合に適する表示としてＱＲコードに代表される二次元コードなどの機械読取情報がある。この機械読取情報を上記商品の外表面に目視できる位置に設けた際、小売り店舗での購入者以外の顧客が不正に情報を入手し易いかどうかの検討が行なわれているが、店員が存在することと、携帯電話を取り出して商品をカメラ撮影する動作を行なう必要があるため、携帯電話を用いた情報の不正取得は起き難いと考えられている。そのため、現状の商品ではその商品の外表面で目視容易な位置に機械読取情報を記載することが行なわれている。
【０００５】
そして、上記機械読取情報を、携帯電話の機能でインターネット上のサイトに接続できるようにＵＲＬなどのアクセス情報と、サイトに接続してからそのサイトでのサービスを受けることができるか否かなどのクジ情報のような役割を果たすエントリー情報との組み合せとしていて、この両者の情報を一つの機械読取情報にしていることが多い。
このように二次元コード（例えばＱＲコード）には、ＵＲＬの他にユニーク（唯一無二）な番号（エントリー情報）が変換されている場合がある。つまり、ＱＲコードを読み取るとＵＲＬによりサイトにアクセスし、次いで、ユニークな番号によりキャンペーンの当否が判るようにすることがある。よって、ＱＲコードだけで対応でき、文字列情報などを必要としない場合がある。
【０００６】
また、一方、インターネット上の上記サイトでのサービスを受けることができるかどうか遊技性をもった顧客サービスを、携帯電話を使用しない購入者がパソコンを利用したインターネット接続をして受けることができるようにしたいとの要望もでてきている。そのため、アクセス情報である固定値のＵＲＬと、商品個々に異なるユニーク値で構成されたエントリー情報の文字列情報とを、機械読取情報に並べて記載することが検討された。
【０００７】
しかしながら、エントリー情報を文字列情報として表現した場合、小売り店舗において商品購入者以外の顧客が黙読して記憶し、不正に取得したエントリー情報を利用してパソコンなどによりサイトのサービスを受ける可能性がある。また、上記機械読取情報と、ＵＲＬや文字列情報とを共に商品の外表面に設けると、商品の情報表示スペースが制限されたり、商品外観を損なうという問題も発生してきた。
そこで本発明は上記事情に鑑み、菓子類などの収納物を収容した紙容器に設ける機械読取情報と文字列情報との情報を、その陳列時形態の時点では外部から見えないようにした秘匿情報とし、商品の正規の購入者がその秘匿情報を確認する場合には、機械読取情報と文字列情報との何れも簡単に選択できるようにすることを課題とし、秘匿情報の提供に適した紙容器を得ることを目的とするものである。
【課題を解決するための手段】
【０００８】
（請求項１の発明）
本発明は上記課題を考慮してなされたもので、上方が開放されている略トレイ状の容器本体がスリーブにスライド可能に収納されている紙容器において、スリーブに容器本体を収納して容器本体の開放上面がスリーブで覆われている紙容器形態を陳列時形態とし、この陳列時形態での前記スリーブ構成板における外方に対して非表出である目視不能な位置に、秘匿情報が設けられていることを特徴とする紙容器を提供して、上記課題を解消するものである。
【０００９】
（請求項２の発明）
そして、本発明において、上記秘匿情報はスリーブの端部開口側に設けられているものとすることが良好である。
【００１０】
（請求項３の発明）
また、本発明において、上記スリーブ構成板の容器内方側となる内面それぞれはスリーブに収納された上記容器本体が相対して上記目視不能な位置とされていて、スリーブ構成板の前記内面に上記秘匿情報を設けてなる情報隠蔽部が、該スリーブ構成板から舌片状に切り開き可能に設けられているものとすることが良好である。
【００１１】
（請求項４の発明）
また、本発明において、上記情報隠蔽部はスリーブの端部開口側に設けられているものとすることが良好である。
【００１２】
（請求項５の発明）
また、本発明において、上記秘匿情報は、二次元コードなどの機械読取情報と文字列情報とからなるもとすることが良好である。
【００１３】
（請求項６の発明）
また、本発明において、上記秘匿情報の機械読取情報と文字列情報とは、箱本体個々に異なるユニーク値を共に含んでいるものとすることが良好である。
【発明の効果】
【００１４】
（請求項１の発明の効果）
請求項１の発明によれば、紙容器が陳列時形態であれば秘匿情報が目視できず、文字列情報を商品購入者ではない者が取得することを防止できる。また、陳列時形態で表示すべき商品情報を設けるスペースが狭められることがないとともに、違和感を生じ易い機械的な機械読取情報や文字列情報などの秘匿情報が顧客の目には止まることがなく、よって商品の外観を損なうことがない。
【００１５】
（請求項２の発明の効果）
請求項２の発明により、容器本体をスリーブから抜いたりずらしたりすることで極めて簡単に秘匿情報の位置を確認することができる。
【００１６】
（請求項３の発明の効果）
請求項３の発明により、秘匿情報を設けた情報隠蔽部を舌片状に切り開くことができるので、秘匿情報をスリーブの形状に影響されることなく見易い状態にすることが容易である。
【００１７】
（請求項４の発明の効果）
請求項４の発明により、情報隠蔽部に指先などを掛け易くなってこの隠蔽情報記載部の切り開く操作が頗る簡単になる。
【００１８】
（請求項５の発明の効果）
請求項５の発明により、携帯電話のイメージ処理機能を利用した情報取得やパソコンを利用した情報取得が行ない易くなるとともに、目視による不正な情報取得を抑止する上で効果が期待できる。勿論、この発明での文字列情報は単に目視しただけでは意味をなさない文字並びのものである。
【００１９】
（請求項６の発明の効果）
請求項６の発明により、秘匿情報の送信者側からのその秘匿情報の利用回数を秘匿情報の受信者側で把握するシステムを組むことができ、不正アクセスの防止に効果がある。
【発明を実施するための最良の形態】
【００２０】
つぎに本発明を図１から図８に示す実施の例に基づいて詳細に説明する。
図中１は紙容器で、該紙容器１は略平板状とされたスリーブ２と、このスリーブ２の端部開口に挿し入れてスライド可能に収納されるトレイ状の容器本体３とからなるものである。
（第一の例）
（スリーブ）
前記スリーブ２は図２の展開したブランクで示すようにスリーブ構成板であるスリーブ上面板４とスリーブ側面板５とスリーブ底面板６と糊代ａが折り罫を介して連接され、前記糊代ａを組み起こしで相対するスリーブ側面板５に貼着する胴貼りをして角筒状にしている。
（容器本体）
また、容器本体３は本体底部の四方に側壁が起きて上方が開放された形状となるように複数の容器本体構成板を折り罫を介して連接したブランクを組み起こしたものであり、図３の展開したブランクで示すごとく、底面板７のスライド方向に沿った辺側（図上長辺側）に側面板８が連接されてその側面板８の端辺にフラップ９を連接している。さらに底面板７のスライド方向に相対する辺側（図上短辺側）に側面板１０が連接されているとともに、その側面板１０それぞれの上辺（容器高さ方向での上辺）に折り罫を介して内折り板１１が連接されており、ブランクの折り起こしに際して前記側面板１０の容器内方側に側面板８のフラップ９を折り入れ、さらに前記内折り板１１を容器内方側であって側面板１０の基端から底面板中央側に寄った位置に接するように折り倒して傾斜させ、図４に示すごとく底面板７に沿うように折り返した下辺部１２を底面板７の切り込みｂに係止させて止めている。
なお、容器本体３において上記フラップ９は側面板１０の内面に折り重なっているものであるが、図４において説明を容易にするためにこのフラップ９は図示していない。
【００２１】
（陳列時形態）
スリーブ２の各スリーブ構成板（スリーブ上面板４とスリーブ側面板５とスリーブ底面板６と糊代ａ）の内面それぞれは、スリーブ２に上記容器本体３をスライド収納するとその容器本体３と相対する部分であり、スリーブ２に容器本体３を収納しその容器本体３の上方開放部分がスリーブ上面板４で覆われて、容器全体で平板状となる形態、即ち、陳列時形態では外部からは前記スリーブ構成板の内面が容器本体３の存在によって直接目視できないようになる。
勿論、スリーブ２の外周面は商品化粧面や商品情報表示面であり、陳列時形態でも目視できる位置である。
このように容器本体３がスリーブ２に収納された陳列時形態では、スリーブ上面板４とスリーブ側面板５とスリーブ底面板６と糊代ａの各内面が外方に対して非表出である目視不能な位置となっている。
【００２２】
（スリーブ側面板の情報隠蔽部）
図２の展開のブランクと図５とに示すように、糊代ａと貼り合わせを行なわないスリーブ側面板３には、スリーブ２の一方の端部開口縁側からスリーブ上面板４との間の折り罫位置と、スリーブ底面板６との間の折り罫位置とに沿って所要の長さにして切り取り線１４が設けられているとともに、これら切り取り線１４の端部開口側とは反対の位置の端部に連続するようにして縦折り罫１５が設けられていて、前記上下の切り取り線１４とこの切り取り線１４に連続する縦折り罫１５とで舌片形状の情報隠蔽部１６が区画形成されており、前記切り取り線１４の切断による切り開きで、情報隠蔽部１６が、前記縦折り罫１５を中心としてスリーブ２の側方に向けて回動できるようにしている（図５参照）。
上記情報隠蔽部１６自体はこの紙容器１の陳列時形態において上述したように容器本体３と相対する部分にあり、情報隠蔽部１６の内面は陳列時形態では目視不能な位置にある。そして、前記スリーブ側面板５の内面である情報隠蔽部１６の内面を情報記載面１７としていて、この情報記載面１７に秘匿情報１８が設けられている。前記秘匿情報１８は二次元コードなどの機械読取情報１９と文字列情報２０とを並べたものである。
【００２３】
陳列時形態となっている紙容器１において、上記情報隠蔽部１６に記載されている秘匿情報１８を確認する場合には、スリーブ２から容器本体３を引き出す。そして、スリーブ側面板５から情報隠蔽部１６を側方に向けて切り開くようにする。前記情報隠蔽部１６を切り開かなくとも容器内方側から秘匿情報１８を確認できるが、情報隠蔽部１６を側方に開くようにすれば、秘匿情報１８がより一層確認し易くなる。
【００２４】
秘匿情報１８は上述したように紙容器１の陳列時形態での容器本体３の存在によって隠れて直接には見ることのできない目視不能な位置にあればよく、スリーブ側面板５の容器内方での端部開口側となる位置に限定されず、情報隠蔽部１６もスリーブ側面板５から側方に向けて横開きするように切り開かれるものに限定されない。その他の例を以下に示した。
【００２５】
（第二の例）
（情報隠蔽部）
図６と図７とは第二の例を示すもので、上記情報隠蔽部１６を配するスリーブ構成板がスリーブ上面板５であり、そのスリーブ上面板５の端部開口側の部分においてスリーブ上面板４から上方に向けて切り開くようにしている点で上記の例を相違している。
図示されているようにスリーブ上面板４には、端部開口側の辺での略中央分を間にして二本の切り取り線１４がスリーブ長手方向に向けて所要長さにして入れられているとともに、その切り取り線１４の端部開口側とは反対の端部に連続するようにして端部開口の間口方向に沿った横折り罫２１を入れて、前記切り取り線１４と前記横折り罫２１とで区画された情報隠蔽部１６が設けられている。
そして、スリーブ２から容器本体３を引き出した後に上記切り取り線１４を切断して情報隠蔽部１６が上方に向けておきるようにして舌片状に切り開くことができ、容器内方に向く内面を情報記載面１７として、この情報記載面１７に上記例と同じように機械読取り情報１９と文字列情報２０とを並べ設けた秘匿情報１８が記載されている。
よって、情報隠蔽部１６を切り起こすようにすることで、情報記載面１７に記載された秘匿情報１８より確認し易くなる。
【００２６】
（第三の例）
（情報隠蔽部）
図８は第三の例を示している。この第三の例では紙容器の陳列時形態でスリーブ底面板６の端部開口側の内面を情報記載面１７とされ、この情報記載面１７に秘匿情報１８が記載されていて、容器本体３を引き抜いたり端部開口からズラすという簡易な操作で前記秘匿情報１８を確認することができるようにしている。
なお、スリーブ底面板６の端部開口側に上記例と同じように切り開きする形式の情報隠蔽部を形成することも可能であるが、情報隠蔽部を下方に向けて降りるように切り開いた後、容器本体３をスリーブ２にズレた収納状態のまま容器全体を反転させて収納物が落下する可能性もあるため、スリーブ底面板６に秘匿情報を配する場合には第三の例として示した形態が望ましい。
【図面の簡単な説明】
【００２７】
【図１】本発明に係る紙容器の第一の例を示す説明図である。
【図２】第一の例におけるスリーブを展開したブランクで示す説明図である。
【図３】第一の例における容器本体を展開したブランクで示す説明図である。
【図４】第一の例における容器本体を示す説明図である。
【図５】第一の例においてスリーブ側面板の情報隠蔽部を切り開いた状態を示す説明図である。
【図６】第二の例におけるスリーブを展開したブランクで示す説明図である。
【図７】第二の例において情報隠蔽部を切り開いた状態を示す説明図である。
【図８】第三の例におけるスリーブを示す説明図である。
【符号の説明】
【００２８】
１…紙容器
２…スリーブ
３…容器本体
７…底面板
８…側面板
１０…側面板
１１…内折り板
１４…切り取り線
１５…縦折り罫
１６…情報隠蔽部
１７…情報記載面
１８…秘匿情報
１９…機械読取情報
２０…文字列情報
２１…横折り罫
【図１】
2009143577.tif 000003
【図２】
2009143577.tif 000004
【図３】
2009143577.tif 000005
【図４】
2009143577.tif 000006
【図５】
2009143577.tif 000007
【図６】
2009143577.tif 000008
【図７】
2009143577.tif 000009
【図８】
2009143577.tif 000010